(57)【要約】【課題】除湿手段に付着した異物による排水詰まりを防止する。【解決手段】回転ドラム４から排出された乾燥用空気を回転ドラム４へ循環させる循環風路１２と、回転ドラム４内に供給する乾燥用空気を除湿する除湿手段１７と、除湿手段１７で除湿した乾燥用空気を加熱する加熱手段１５と、除湿手段１７および加熱手段１５を収容したケース１９と、除湿手段１７に付着した異物を除去する散水手段２８と、ケース１９内の水を排出する排水経路３２と、除湿手段１７から除去した異物を受け止める異物捕集部３４とを備え、異物捕集部３４を除湿手段１７の上流側の下方に配設したものである。【選択図】図１
2014014476.tif 000002
【特許請求の範囲】
【請求項１】
回転自在に設けられた回転ドラムと、
前記回転ドラムを回転駆動するモータと、
前記回転ドラム内に乾燥用空気を供給する送風手段と、
前記回転ドラムから排出された乾燥用空気を前記回転ドラムへ循環させる循環風路と、
前記回転ドラム内に供給する乾燥用空気を除湿する除湿手段と、
前記除湿手段で除湿した乾燥用空気を加熱する加熱手段と、
前記除湿手段および前記加熱手段を収容したケースと、
前記除湿手段に付着した異物を除去する散水手段と、
前記ケース内の水を排出する排水経路と、
前記除湿手段から除去した異物を受け止める異物捕集部とを備え、
前記異物捕集部を前記除湿手段の上流側の下方に配設した衣類乾燥機。
【請求項２】
前記異物捕集部は、前記ケースの底面から上方へ突出した複数の突起部により構成された請求項１に記載の衣類乾燥機。
【請求項３】
前記突起部は、多角柱状に形成された請求項２に記載の衣類乾燥機。
【請求項４】
前記突起部の高さは、除湿手段洗浄時の前記ケース内における最大水位より高く構成された請求項２または３記載の衣類乾燥機。
【請求項５】
前記異物捕集部は、網体により構成された請求項１に記載の衣類乾燥機。
【請求項６】
筐体内に弾性支持され、前記回転ドラムを内包する水槽と、
前記水槽に洗濯水を供給する給水手段と、
前記水槽内の洗濯水を排水する排水手段と、
洗濯および乾燥運転を制御する制御手段とを設け、
洗濯機能を備えた請求項１〜５のいずれか１項に記載の衣類乾燥機。
【発明の詳細な説明】
【技術分野】
【０００１】
本発明は、衣類等の乾燥を行う衣類乾燥機に関するものである。
【背景技術】
【０００２】
従来、この種の衣類乾燥機は、衣類等の繊維製品から発生する糸屑等のリントが乾燥用空気に混入し、循環風路内に設けた送風機および熱交換器等に付着堆積して、その機能を低下させる原因となるため、循環風路に乾燥用空気からリントを捕捉するリントフィルタが設けられている。しかしながら、循環風路を流れる乾燥用空気は、一定の送風量を確保する必要があることから、リントフィルタを通過する乾燥用空気からリントを完全に除去することは難しく、リントフィルタを通過したリントが熱交換器に付着する。そのため、熱交換器に付着したリントを水道水で洗浄することが考えられている（例えば、特許文献１参照）。
【０００３】
図８は、特許文献１に記載された従来の洗濯機能を備えた衣類乾燥機（所謂、洗濯乾燥機）の一部摸式化した構成図である。図８において、筺体５１内に揺動自在に支持された外槽５２を前上がりに傾斜させて配置し、外槽５２内にドラム５３を回転自在に配設している。ドラム５３はモータ５４によって回転駆動され、筺体５１と外槽５２の間の下部空間にヒートポンプ装置５５を配置している。
【０００４】
ヒートポンプ装置５５は、圧縮機５６と、凝縮器５７と、減圧手段５８と、蒸発器５９を冷媒が循環するように構成されており、凝縮器５７と蒸発器５９をケース６０内に設けている。ケース６０の底面に設けた排水口（図示せず）と、外槽５２の底部に設けた排水口（図示せず）は、各々排水経路６１に連結している。外槽５２とヒートポンプ装置５５は循環風路６２で連結され、循環風路６２に凝縮器５７と蒸発器５９を配設している。ヒートポンプ装置５５の下流の循環風路６２に送風手段６３を設け、蒸発器５９の上流の循環風路６２にリントフィルタ６４を配設している。
【０００５】
上記の構成において、送風手段６３によって循環風路６２に送風し、ドラム５３から循環風路６２に出た乾燥風は、リントフィルタ６４を通過し、蒸発器５９、凝縮器５７を経て外槽５２へと循環する。
【０００６】
圧縮機５６の動作により、凝縮器５７にて乾燥用空気を加熱し、この加熱された乾燥風は外槽５２からドラム５３内に供給される。ドラム５３内の衣類から水分を奪って多湿となった乾燥用空気は、ドラム５３から外槽５２に出て蒸発器５９に供給される。ここで乾燥用空気は冷却され除湿されて除湿水が発生する。発生した除湿水は、排水経路６１を通して機外に排出される。
【０００７】
送風手段６３、蒸発器５９、凝縮器５７の上流側の循環風路６２に設けられたリントフィルタ６４によって、乾燥気流に含まれる洗濯物から分離したリントや毛髪等の異物を捕集する。しかしながら、リントフィルタ６４でリントや毛髪を完全に捕集することは難しく、一部のリントや毛髪等の異物はリントフィルタ６４を通過し、蒸発器５９や凝縮器５７の表面に付着するため、蒸発器５９および凝縮器５７の表面を水洗いする散水手段６５を設け、付着したリントや毛髪等の異物を洗い流すようにしている。
【０００８】
散水手段６５によって洗い流されたリントや毛髪等の異物は、排水経路６１に排出される。また、乾燥工程において蒸発器５９で発生した除湿水は、付着したそれらの異物とともに排水経路６１に排出される。排水経路６１に排出された異物が排水経路６１や電磁弁
等で構成される排水弁６６などに詰まると、除湿水が排水されなくなる。
【０００９】
また、図９に示すように、除湿水の排水路に異物を受け止める邪魔部６７を設け、異物による排水経路の詰まりを防止することが考えられている（例えば、特許文献２参照）。
【先行技術文献】
【特許文献】
【００１０】
【特許文献１】特開２００８−８６４２１号公報
【特許文献２】特開２０１０−６３６９１号公報
【発明の概要】
【発明が解決しようとする課題】
【００１１】
しかしながら、前記従来の構成では、蒸発器等の熱交換器を洗浄した洗浄水には、衣類から発生した糸屑等のリントや、衣類に付着していた毛髪等の、熱交換器に付着していた異物が洗い流されて含まれており、また、蒸発器等の熱交換器に付着した異物は、乾燥運転時に蒸発器で発生する除湿水とともに排水経路に流れる。これらの洗浄水および除湿水とともに流れる異物が排水経路に詰まると、乾燥運転時に蒸発器で発生する除湿水を排出することができなくなるという問題があった。また、除湿水の排水路に異物を受け止める邪魔部を設けると、邪魔部に異物が堆積して除湿水を排出することができなくなるという問題があった。
【００１２】
本発明は、前記従来の課題を解決するもので、除湿手段に付着した異物による排水詰まりを防止することができるようにした衣類乾燥機を提供することを目的とする。
【課題を解決するための手段】
【００１３】
前記従来の課題を解決するために、本発明の衣類乾燥機は、
回転自在に設けられた回転ドラムと、
前記回転ドラムを回転駆動するモータと、
前記回転ドラム内に乾燥用空気を供給する送風手段と、
前記回転ドラムから排出された乾燥用空気を前記回転ドラムへ循環させる循環風路と、
前記回転ドラム内に供給する乾燥用空気を除湿する除湿手段と、
前記除湿手段で除湿した乾燥用空気を加熱する加熱手段と、
前記除湿手段および前記加熱手段を収容したケースと、
前記除湿手段に付着した異物を除去する散水手段と、
前記ケース内の水を排出する排水経路と、
前記除湿手段から除去した異物を受け止める異物捕集部とを備え、
前記異物捕集部を前記除湿手段の上流側の下方に配設したものである。
【００１４】
これによって、除湿手段を洗浄した洗浄水に含まれる毛髪等の異物を、除湿手段の上流側で捕集することができ、排水経路への異物の流出を防いで排水詰まりを防止することができる。
【発明の効果】
【００１５】
本発明の衣類乾燥機は、除湿手段に付着した異物による排水詰まりを防止することができ、乾燥運転時に発生する除湿水を確実に排出することができる。
【図面の簡単な説明】
【００１６】
【図１】本発明の実施の形態１における衣類乾燥機の要部断面図
【図２】同衣類乾燥機のシステム概略図
【図３】同衣類乾燥機の要部分解斜視図
【図４】同衣類乾燥機の要部分解上面図
【図５】同衣類乾燥機の要部断面図
【図６】同衣類乾燥機の要部分解斜視図
【図７】本発明の実施の形態２における衣類乾燥機の要部分解斜視図
【図８】従来の洗濯乾燥機の構成図
【図９】従来の空調ユニットの要部分解斜視図
【発明を実施するための形態】
【００１７】
本発明の衣類乾燥機は、
回転自在に設けられた回転ドラムと、
前記回転ドラムを回転駆動するモータと、
前記回転ドラム内に乾燥用空気を供給する送風手段と、
前記回転ドラムから排出された乾燥用空気を前記回転ドラムへ循環させる循環風路と、
前記回転ドラム内に供給する乾燥用空気を除湿する除湿手段と、
前記除湿手段で除湿した乾燥用空気を加熱する加熱手段と、
前記除湿手段および前記加熱手段を収容したケースと、
前記除湿手段に付着した異物を除去する散水手段と、
前記ケース内の水を排出する排水経路と、
前記除湿手段から除去した異物を受け止める異物捕集部とを備え、
前記異物捕集部を前記除湿手段の上流側の下方に配設したものである。
【００１８】
これにより、除湿手段を洗浄した洗浄水に含まれる毛髪等の異物を、除湿手段の上流側で捕集し、排水経路への異物の流出を防いで排水詰まりを防止することができる。したがって、乾燥運転時に発生する除湿水を確実に排出することができ、良好な乾燥性能を得ることができる。
【００１９】
さらに本発明の前記異物捕集部は、前記ケースの底面から上方へ突出した複数の突起部により構成されたものである。
【００２０】
これにより、新規に異物を捕集するための部品を設けることなく、簡単な構成で異物を効果的に捕集することができる。
【００２１】
さらに本発明の前記突起部は、多角柱状に形成されたものである。
【００２２】
これにより、異物を突起部に絡まりやすくすることができ、異物を効果的に捕集することができる。
【００２３】
さらに本発明は、前記突起部の高さが、除湿手段洗浄時の前記ケース内における最大水位より高く構成されたものである。
【００２４】
これより、除湿手段の洗浄時に、洗い水によって異物が浮上し、突起部を乗り越えて排水経路へ流出するのを防止することができる。
【００２５】
さらに本発明は、前記異物捕集部が、網体により構成された特に、第１の発明の異物捕集部は、網体により構成したものである。
【００２６】
これにより、異物の捕集効果を高めることができる。また、異物捕集部をケースと別体に構成し、着脱自在に構成することにより、異物を容易に除去することができるとともに、異物捕集部を交換することで長期間に亘って排水性能を維持することができるとともに、ケース内を清浄に保つことができる。
【００２７】
さらに本発明は、筐体内に弾性支持され、前記回転ドラムを内包する水槽と、
前記水槽に洗濯水を供給する給水手段と、
前記水槽内の洗濯水を排水する排水手段と、
洗濯および乾燥運転を制御する制御手段とを設け、
洗濯機能を備えたものである。
【００２８】
これにより、衣類を移し替えることなく同一の槽内で洗濯から乾燥まで実行することができる。また、洗濯水を給水する給水手段によって、除湿手段に付着した異物を除去する散水手段を合理的に構成することができるとともに、水槽内の洗濯水を排水する排水手段によって、除湿手段を洗浄した洗浄水および乾燥運転時に発生する除湿水の排水経路を合理的に構成することができる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態における衣類乾燥機の要部断面図、図２は、同衣類乾燥機のシステム概略図、図３は、同衣類乾燥機の要部分解斜視図、図４は、同要部分解上面図、図５は、同要部断面図、図６は、同衣類乾燥機の要部分解斜視図である。
【００３１】
図１〜図６において、本実施の形態の衣類乾燥機は、洗濯機能を備えた所謂、洗濯乾燥機であり、外郭を形成する筐体１内に洗濯水を貯める略円筒形状の水槽２を設けている。水槽２内には、前後方向に延びる回転軸３を中心に回転自在に設けられた有底円筒状の回転ドラム４を設けている。水槽２は、左右一対のダンパー５により下方から弾性支持されるとともに、左右一対のばね（図示せず）によって上方から吊下げ、水槽２の前面に設けた開口６側が上位となるように、回転軸３を前上がりに傾斜させている。
【００３２】
水槽２の後部外面には、回転ドラム４を回転駆動するモータ７が取り付けられている。モータ７はブラシレス直流モータで構成され、インバータ制御によって回転速度が自在に変化させることができるようになっている。回転ドラム４の周側面に多数の透孔８が設けてあり、この透孔８を通して水槽２内と連通している。また、回転ドラム４の周側面に内方へ突出するバッフル９を複数設けている。
【００３３】
水槽２の後面に乾燥風を導入する給気口１０を設け、水槽２の上方前部に乾燥風を排出する排気口１１を設けている。給気口１０および排気口１１に乾燥風が流れる循環風路１２を接続し、水槽２内の回転ドラム４と連通するように構成している。
【００３４】
ヒートポンプ装置１３は、圧縮機１４と、この圧縮機１４で圧縮された冷媒の熱を放熱し乾燥風を加熱する凝縮器（加熱手段）１５と、高圧の冷媒の圧力を減圧するための絞り弁や毛細管等からなる絞り手段１６と、減圧されて低圧となった冷媒が周囲から熱を奪い乾燥風を冷却する蒸発器（除湿手段）１７とを冷媒が循環するように管路１８で連結されており、冷媒は図２の矢印イの方向に流れて循環し、ヒートポンプサイクルを実現する。
【００３５】
ヒートポンプ装置１３の圧縮機１４と管路１８で連結された凝縮器１５および蒸発器１７は、循環風路１２の一部を形成するケース１９内に格納されている。循環風路１２と連通するケース１９の入口２１から流入した乾燥風は、蒸発器１７および凝縮器１５を矢印ロの方向に通過して出口２２から循環風路１２へ流出する。
【００３６】
蒸発器１７および凝縮器１５は、フィンチューブ熱交換器で構成され、冷媒が流れる管
路１８は、例えば銅管で形成され、乾燥風の流路を形成するために所定間隔で平行に並べられた多数のフィンに管路１８を貫通させて構成している。フィンは、例えば打ち抜き加工された厚み０．０８〜０．２ｍｍのアルミニウム製の平板で形成され、フィンピッチは、例えば約１．２ｍｍ程度に構成している。
【００３７】
ケース１９の乾燥風の入口２１側は、循環風路１２を構成する排気ダクト１２ａと連通接続し、排気口１１と繋がっている。また、出口２２側は、循環風路１２を構成する給気ダクト１２ｂと連通接続し、給気口１０と繋がっている。給気ダクト１２ｂには、循環風路１２に送風する送風機（送風手段）２３を設けている。
【００３８】
水槽２内に洗濯水を供給する給水弁（給水手段）２４を設けている。給水弁２４は、水道栓に繋がれた給水路（図示せず）に設けている。また、水槽２内の洗濯水を排水する排水弁（排水手段）２５を設けている。排水弁２５は、水槽２の底部に設けた排水口２６に接続した排水路２７に設けている。
【００３９】
蒸発器１７の上流側の上部には洗浄水を吐出するノズル（散水手段）２８が設けられている。ノズル２８は、水道栓に繋がれた給水路から分岐して設けた洗浄管２９と連通接続している。洗浄水は、給水弁３０を開くことによってノズル２８から吐出する。ノズル２８から吐出された洗浄水は、蒸発器１７の上流側の表面に沿って下方へ流れ、ケース１９の底部に設けた排水孔３１から水槽２を介して排水路２７に繋がる排水経路３２に排出される。排水経路３２の途中には開閉弁３３が設けられている。
【００４０】
ノズル２８は、蒸発器１７の上流側の端面に沿って広い範囲に洗浄水が流れるように、乾燥風の流れと交差する幅方向に両端部まで細長く形成し、洗浄水が吐出する孔（図示せず）を略直線状に多数設けている。
【００４１】
蒸発器１７の上流側の下方に異物捕集部３４を設けている。異物捕集部３４は、ケース１９の底面から上方へ突出した多数の多角柱状に形成した突起部３４ａにより構成し、乾燥風が流れる蒸発器１７の幅方向の略全域に設けている。異物捕集部３４の端部に洗浄水流出部３５を設けている。
【００４２】
ケース１９の底部には、蒸発器１７と凝縮器１５の側方を洗浄水が流れるように洗浄水排水路３６を設けている。ノズル２８から蒸発器１７の上流側の端面に沿って異物捕集部３４に流れ落ちた洗浄水は、洗浄水流出部３５から洗浄水排水路３６を通り、排水孔３１から排水経路３２へ排出される。
【００４３】
循環風路１２の排気ダクト１２ａにリントフィルタ３７を設けている。リントフィルタ３７は、排気口１１から循環風路１２に流れる乾燥風に含まれる糸屑等のリントや毛髪等の異物を捕集する。リントフィルタ３７は、筐体１内の上部に着脱自在に配設され、筐体１の上面から取り出し可能に設けている。
【００４４】
筐体１の前面に開閉自在な扉３８を設けている。扉３８を開くことにより、回転ドラム４の前面に設けた衣類投入口３９を通して洗濯物を出し入れすることができる。
【００４５】
制御手段４０は、ヒートポンプ装置１３の圧縮機１４、回転ドラム４を回転駆動するモータ７、乾燥風を送風する送風機２３、給水弁２４、排水弁２５、給水弁３０、開閉弁３３等を制御し、洗濯、すすぎ、脱水、乾燥の各工程を逐次制御する。
【００４６】
以上のように構成された洗濯乾燥機について、以下その動作、作用を説明する。まず、洗い工程の手順を示す。最初に扉３８を開放し、衣類投入口３９から回転ドラム４内に衣
類ハ等の洗濯物を投入した後、扉３８を閉じ、操作ボタン（図示せず）を押して所望の運転プログラムを選択し、運転を開始させる。
【００４７】
制御手段４０は、扉３８が閉じられていることを確認した後、モータ７を駆動させ、回転にともなう負荷情報から、投入された衣類ハの量を判定する。その後、給水弁２４を開放して水槽２に水を貯める。衣類ハの量に応じてあらかじめ設定された水量が給水されると給水を停止し、モータ７を正転、反転を繰り返すなど、所定のプログラムにしたがって回転ドラム４を回転させる。
【００４８】
回転ドラム４内の衣類ハは、バッフル９によって回転方向へ持ち上げられて、回転ドラム４内の上方から落下し、叩き洗いの作用で汚れを落とし、所定の時間が経過すると洗い工程を終了する。洗い工程に続いて、すすぎ工程と脱水工程を実行する。
【００４９】
次に、乾燥工程について説明する。洗い、すすぎ、脱水の各工程に続いて、乾燥工程を実行することができる。乾燥運転を開始すると、モータ７が回転し、回転ドラム４および送風機２３が回転して乾燥風の流れ（矢印ロ）が生じる。乾燥風は、回転ドラム４内の衣類ハから水分を奪って多湿となった後、排気口１１からリントフィルタ３７を通過し、排気ダクト１２ａを通ってヒートポンプ装置１３の蒸発器１７へ導かれる。回転ドラム４はモータ７により回転駆動され、衣類ハは、回転ドラム４内で撹拌される。
【００５０】
ヒートポンプ装置１３の圧縮機１４を作動させると、冷媒が圧縮され、この圧力により凝縮器１５、絞り手段１６、蒸発器１７を循環する。凝縮器１５では、高圧状態で冷媒の熱が放出され、蒸発器１７では、絞り手段１６で減圧されて低圧状態となり冷媒へ熱が吸収される。このとき、送風機２３によって循環風路１２を流れる乾燥風を凝縮器１５の放熱によって加熱する。
【００５１】
送風機２３により、給気口１０から回転ドラム４内に送風された温風は、衣類ハの間を通るときに水分を奪って多湿となった後、排気口１１からリントフィルタ３７を通過し、排気ダクト１２ａを通ってヒートポンプ装置１３の蒸発器１７へ導かれる。この多湿の乾燥風は、蒸発器１７を通過する際に顕熱と潜熱が奪われて除湿され、乾いた空気と除湿水に分離される。
【００５２】
この乾いた空気は、凝縮器１５で加熱され、温風となって送風機２３により再び回転ドラム４内へ送風される。一方、蒸発器１７で結露した除湿水は、蒸発器１７のフィンを伝ってケース１９の底部に落下し、洗浄水排水路３６を通ってケース１９の底部に設けた排水孔３１から水槽２を介して排水路２７に繋がる排水経路３２に排出される。乾燥運転時は、排水経路３２に設けた開閉弁３３は開かれている。
【００５３】
乾燥風がリントフィルタ３７を通過するときに、衣類等から分離した糸屑等のリントや毛髪等の異物が捕集される。しかしながら、乾燥風から異物を完全に除去することは難しく、リントフィルタ３７を通過した異物は、乾燥風が蒸発器１７を通過する際に蒸発器１７の上流側の表面に付着する。
【００５４】
乾燥運転中に蒸発器１７で発生する除湿水は、図４に示すように、蒸発器１７のフィンを伝ってケース１９の底部に落下し、蒸発器１７の上流側を通過せずに排出されるため、蒸発器１７の上流側の下方に設けた異物捕集部３４に異物が捕集された場合でも、異物で除湿水の流れが阻害されることがなく、円滑に排出することができる。
【００５５】
乾燥運転中は、循環する乾燥風の温度を温度検知手段（図示せず）により検知し、衣類の乾燥の進行によって所定の乾燥率を検知すると、乾燥工程を終了する。乾燥工程に続い
て、蒸発器１７に付着した異物の洗浄を行う。異物の洗浄は、給水弁３０を開くことによって洗浄管２９を通してノズル２８に洗浄水が供給され、蒸発器１７の上流側の上部に設けたノズル２８から洗浄水を吐出して行う。
【００５６】
蒸発器１７の上流側の表面に付着した異物は、ノズル２８から吐出された洗浄水で洗浄され、異物は蒸発器１７の上流側の下方に設けた異物捕集部３４に流れ落ちる。異物捕集部３４に流れ落ちた比較的小さな異物は、洗浄水とともに洗浄水流出部３５に向かって流れていく。異物捕集部３４に流れ落ちた髪の毛などの比較的大きな異物は、異物捕集部３４を流れるとき、多数の多角柱状に形成した突起部３４ａに絡まって捕集される。
【００５７】
異物捕集部３４で大きな異物が除去された洗浄水は、洗浄水流出部３５から洗浄水排水路３６を通り、ケース１９の底部に設けた排水孔３１から水槽２を介して排水路２７に繋がる排水経路３２に排出される。大きな異物は、異物捕集部３４にて捕集されるため、排水経路３２の詰まりを防止することができる。
【００５８】
なお、異物は乾燥気流に押し付けられる形で蒸発器１７の上流側の表面に付着、堆積するため、蒸発器１７の内部や下流側の表面には殆ど堆積しない。
【００５９】
また、異物捕集部３４を蒸発器１７の上流側の下方に構成することにより、洗浄水流出部３５や排水経路３２等に比べて、より広範囲で異物を捕集することができ、捕集した毛髪等の異物によって排水詰まりが生じる可能性を低減することができる。
【００６０】
また、異物捕集部３４は、乾燥風が流れる蒸発器１７の幅方向の略全域に設けることにより、蒸発器１７の前面に付着した異物が洗い流された際に、異物を分散して捕集することができ、捕集した毛髪等の異物によって排水詰まりが生じる可能性を低減することができる。
【００６１】
また、異物捕集部３４は、ケース１９の底面から上方へ突出した多数の突起部３４ａによって構成することにより、新規に異物を捕集するための部品を設けることなく簡単な構成で、異物を効果的に捕集することができる。
【００６２】
また、異物捕集部３４は、突起部３４ａを多角柱状に形成することにより、異物が多角柱の角に引っ掛かり易くすることができ、より効果的に捕集することができる。
【００６３】
また、異物捕集部３４は、突起部３４ａの高さを、蒸発器１７洗浄時のケース１９内における最大水位より高くすることにより、蒸発器１７の洗浄時に、ノズル２８から吐出した洗浄水がケース１９に溜まって水位が上昇し、異物が浮上した場合でも、異物が突起部３４ａを乗り越えて排水経路３２へ流出するのを防ぐことができる。
【００６４】
なお、本実施の形態においては、水道配管に接続した給水弁３０を散水手段であるノズル２８への給水手段としているが、ポンプで水を汲み上げてノズル２８へ給水するようにしてもよい。また、凝縮器１５の上流側にも、散水手段２８および異物捕集部３４を設けてもよい。
【００６５】
以上のように、本実施の形態においては、回転自在に設けた回転ドラム４と、回転ドラム４を回転駆動するモータ７と、回転ドラム４内に乾燥用空気を供給する送風手段２３と、回転ドラム４から排出された乾燥用空気を回転ドラム４へ循環させる循環風路１２と、回転ドラム４内に供給する乾燥用空気を除湿する除湿手段１７と、除湿手段１７で除湿した乾燥用空気を加熱する加熱手段１５と、除湿手段１７および加熱手段１５を収容したケース１９と、除湿手段１７に付着した異物を除去する散水手段２８と、ケース１９内の水
を排出する排水経路３２と、除湿手段１７から除去した異物を受け止める異物捕集部３４とを備え、異物捕集部３４を除湿手段１７の上流側の下方に配設したものであり、除湿手段１７を洗浄した洗浄水に含まれるリントや毛髪等の異物を、除湿手段１７の上流側で捕集し、排水経路３２への異物の流出を防いで排水詰まりを防止することができる。したがって、乾燥運転時に発生する除湿水を確実に排出することができ、良好な乾燥性能を得ることができる。
【００６６】
（実施の形態２）
図７は、本発明の第２の実施の形態における衣類乾燥機の要部分解斜視図である。本実施の形態の特徴は、異物捕集部３４を網体で構成したものである。他の構成は実施の形態１と同じであり、同一の構成に同一の符号を付して、詳細な説明は実施の形態１のものを援用する。
【００６７】
網体で構成した異物捕集部３４は、洗浄水流出部３５に着脱自在に装着している。蒸発器１７の上流側の表面に付着した異物は、ノズル２８から吐出された洗浄水で洗浄される。流れ落ちた異物は、洗浄水とともに洗浄水流出部３５に向かって流れ、網体で構成した異物捕集部３４で効果的に捕集することができる。
【００６８】
また、異物捕集部３４をケース１９と別体に構成し、ケース１９から取り外し可能に構成することにより、捕集した異物を網体から容易に除去することができるとともに、網体を交換することで、長期間に亘って排水性能を維持することができ、ケース１９内を清浄に保つことができる。なお、異物捕集部３４を多孔体や柵状としてもよく、また、網体を除湿手段１７の上流側の下方に設け、ケース１９の底部に敷設しても異物を捕集することができる。
【産業上の利用可能性】
【００６９】
以上のように、本発明にかかる衣類乾燥機は、除湿手段に付着した異物による排水詰まりを防止することができ、乾燥運転時に発生する除湿水を確実に排出することができるので、衣類乾燥機として有用である。
【符号の説明】
【００７０】
４  回転ドラム
７  モータ
１２  循環風路
１５  凝縮器（加熱手段）
１７  蒸発器（除湿手段）
１９  ケース
２３  送風機（送風手段）
２８  ノズル（散水手段）
３２  排水経路
３４  異物捕集部
【図１】
2014014476.tif 000003
【図２】
2014014476.tif 000004
【図５】
2014014476.tif 000005
【図６】
2014014476.tif 000006
【図３】
2014014476.tif 000007
【図４】
2014014476.tif 000008
【図７】
2014014476.tif 000009
【図８】
2014014476.tif 000010
【図９】
2014014476.tif 000011